(57)【要約】【課題】個人に応じた動作設定で複数の家電機器を制御することが可能な家電制御装置等を提供する。【解決手段】家電制御装置は、予め設定された複数の家電機器に対する制御に用いられる動作設定を、識別情報に応じて設定するように構成された設定部と、識別情報と時刻とを受信するように構成された受信部と、受信部で受信された前記時刻において、受信部で受信された識別情報に関連付けられた動作設定に応じた状態にするための制御を行うように構成された制御部と、を有する。【選択図】図１
2016163147.tif 000002
【特許請求の範囲】
【請求項１】
予め設定された複数の家電機器に対する制御に用いられる動作設定を、識別情報に応じて設定するように構成された設定部と、
前記識別情報と時刻とを受信するように構成された受信部と、
前記受信部で受信された前記時刻において、前記受信部で受信された識別情報に関連付けられた動作設定に応じた状態にするための制御を行うように構成された制御部と、
を有することを特徴とする家電制御装置。
【請求項２】
前記制御部は、前記受信部で受信された前記時刻において最終制御状態になるように前記複数の家電機器を制御することを特徴とする請求項１に記載の家電制御装置。
【請求項３】
前記制御部は、前記受信部で受信された前記時刻において最終制御状態にするためのスケジュール動作を前記複数の家電機器において行わせることを特徴とする請求項１に記載の家電制御装置。
【請求項４】
前記設定部は、前記識別情報に関連付けられた動作設定の更新を行った際に、当該動作設定の更新を行った旨を報知する情報を、前記識別情報の送信元の端末装置に表示させるための動作を行うことを特徴とする請求項１に記載の家電制御装置。
【請求項５】
複数の家電機器と；
前記複数の家電機器に対する制御に用いられる動作設定を、識別情報に応じて設定するように構成された設定部と、前記識別情報と時刻とを受信するように構成された受信部と、前記受信部で受信された前記時刻において、前記識別情報に関連付けられた動作設定に応じた状態にするための制御を行うように構成された制御部と、を有する制御装置と；
を具備したことを特徴とする家電制御システム。
【請求項６】
設定部が、予め設定された複数の家電機器に対する制御に用いられる動作設定を、識別情報に応じて設定し、
受信部が、前記識別情報と時刻とを受信し、
制御部が、前記受信部で受信された前記時刻において、前記受信部で受信された識別情報に関連付けられた動作設定に応じた状態にするための制御を行う
ことを特徴とする家電制御方法。
【発明の詳細な説明】
【技術分野】
【０００１】
本発明の実施形態は、家電制御装置、家電制御システム及び家電制御方法に関する。
【背景技術】
【０００２】
エアコン及び照明装置等の複数の家電機器を一括制御するための技術が従来知られている。
【０００３】
具体的には、例えば、特許文献１には、人体周囲の照度または屋外の照度を照度計測手段により計測して得られる情報と、人体周囲の温熱環境を温熱環境計測手段により計測して得られる情報と、を演算処理して得られる処理結果に応じて空気調和機及び照明装置を制御するような技術が開示されている。
【先行技術文献】
【特許文献】
【０００４】
【特許文献１】日本国特開平８−１９３７３８号公報
【発明の概要】
【発明が解決しようとする課題】
【０００５】
実施形態は、個人に応じた動作設定で複数の家電機器を制御することが可能な家電制御装置、家電制御システム及び家電制御方法を提供する。
【課題を解決するための手段】
【０００６】
実施形態の家電制御装置は、予め設定された複数の家電機器に対する制御に用いられる動作設定を、識別情報に応じて設定するように構成された設定部と、前記識別情報と時刻とを受信するように構成された受信部と、前記受信部で受信された前記時刻において、前記受信部で受信された識別情報に関連付けられた動作設定に応じた状態にするための制御を行うように構成された制御部と、を有する。
【発明の効果】
【０００７】
実施形態の家電制御装置、家電制御システム及び家電制御方法によれば、個人に応じた動作設定で複数の家電機器を制御することができる。
【図面の簡単な説明】
【０００８】
【図１】実施形態に係る家電制御システムの構成の一例を説明するための図。
【図２】ホーム画面ＨＳの表示態様の一例を説明するための図。
【図３】設定画面ＳＳ１の表示態様の一例を説明するための図。
【図４】設定画面ＳＴ１の表示態様の一例を説明するための図。
【図５】設定画面ＳＳ２の表示態様の一例を説明するための図。
【図６】設定画面ＳＳ３の表示態様の一例を説明するための図。
【図７】設定画面ＳＳ３の表示態様の、図６とは異なる例を説明するための図。
【図８】照明装置３１Ａ〜３１Ｃに対する制御を一括制御において行った際の調光レベルの時間的な変動の一例を説明するための図。
【図９】エアコン３２Ａ〜３２Ｃに対する制御を一括制御において行った際の室温の時間的な変動の一例を説明するための図。
【発明を実施するための形態】
【０００９】
以下、図面を参照して実施形態を説明する。
【００１０】
家電制御システム１０１は、図１に示すように、携帯端末装置１Ａと、端末装置１Ｂと、制御装置２と、寝室ＲＡに設置された複数の家電機器である照明装置３１Ａ及びエアコン３２Ａと、当該寝室ＲＡとは異なる部屋である寝室ＲＢに設置された複数の家電機器である照明装置３１Ｂ及びエアコン３２Ｂと、当該寝室ＲＡ及びＲＢとは異なる部屋であるリビングＲＣに設置された複数の家電機器である照明装置３１Ｃ及びエアコン３２Ｃと、を有して構成されている。
【００１１】
携帯端末装置１Ａは、例えば、スマートフォンまたはタブレット等の可搬型の端末装置として構成されている。
【００１２】
携帯端末装置１Ａは、例えば、Ｗｉ−Ｆｉ（登録商標）等の通信規格に則り、制御装置２との間で無線通信を行うことができるように構成されている。
【００１３】
携帯端末装置１Ａは、例えば、ユーザーにより操作可能なタッチパネル等のユーザーインターフェースである操作指示部１１Ａと、携帯端末装置１Ａの識別に用いられる固有のＩＤ等の識別情報が格納された記憶装置である記憶部１２Ａと、ユーザーに提示する情報を表示可能なディスプレイである表示部１３Ａと、を有して構成されている。すなわち、携帯端末装置１Ａには、記憶部１２Ａに格納された識別情報が割り当てられている。
【００１４】
端末装置１Ｂは、例えば、パーソナルコンピュータ等の設置型の端末装置として構成されている。
【００１５】
端末装置１Ｂは、例えば、ＥＴＨＥＲＮＥＴ（登録商標）等の通信規格に則り、制御装置２との間で有線通信を行うことができるように構成されている。
【００１６】
端末装置１Ｂは、例えば、ユーザーにより操作可能なキーボード及びマウス等のユーザーインターフェースである操作指示部１１Ｂと、端末装置１Ｂの識別に用いられる固有のＩＤ等の識別情報が格納された記憶装置である記憶部１２Ｂと、ユーザーに提示する情報を表示可能なモニタである表示部１３Ｂと、を有して構成されている。すなわち、端末装置１Ｂには、記憶部１２Ｂに格納された識別情報が割り当てられている。
【００１７】
制御装置２は、例えば、ＨＥＭＳ（Ｈｏｍｅ  Ｅｎｅｒｇｙ  Ｍａｎａｇｅｍｅｎｔ Ｓｙｓｔｅｍ）に係る種々のサービスを携帯端末装置１Ａ及び端末装置１Ｂに対してそれぞれ提供することが可能なサーバ装置として構成されている。
【００１８】
制御装置２は、例えば、ＥＣＨＯＮＥＴ  Ｌｉｔｅ（登録商標）等の通信規格に則り、寝室ＲＡ、寝室ＲＢ及びリビングＲＣに設置された各家電機器との間で個別に通信を行うことができるように構成されている。
【００１９】
制御装置２は、例えば、Ｗｉ−Ｆｉ（登録商標）等の通信規格に則り、携帯端末装置１Ａとの間で無線通信を行うことができるように構成されている。
【００２０】
制御装置２は、例えば、ＥＴＨＥＲＮＥＴ（登録商標）等の通信規格に則り、端末装置１Ｂとの間で無線通信を行うことができるように構成されている。
【００２１】
制御装置２は、携帯端末装置１Ａ、端末装置１Ｂ及び各家電機器との通信において用いられる各通信規格に対応したネットワークインターフェースである通信部２１と、携帯端末装置１Ａ及び／または端末装置１Ｂから通信部２１を介して受信した情報に基づき、複数の家電機器を一括制御する際の動作設定を行う設定部２２と、設定部２２により設定された動作設定が格納される記憶装置である記憶部２３と、記憶部２３に記憶された動作設定に応じた制御等を行う制御部２４と、を有して構成されている。
【００２２】
なお、設定部２２及び制御部２４は、例えば、ＣＰＵ等の１つのプロセッサを用いて構成されていてもよく、または、２つ以上のプロセッサを組み合わせて構成されていてもよい。
【００２３】
照明装置３１Ａは、例えば、ＥＣＨＯＮＥＴ  Ｌｉｔｅ（登録商標）等の通信規格に則り、制御装置２との間で無線通信を行うことができるように構成されている。また、照明装置３１Ａは、制御部２４の制御に応じた調光レベルの照明光を発することにより、寝室ＲＡの照度を変化させることができるように構成されている。
【００２４】
エアコン３２Ａは、例えば、ＥＣＨＯＮＥＴ  Ｌｉｔｅ（登録商標）等の通信規格に則り、制御装置２との間で無線通信を行うことができるように構成されている。また、エアコン３２Ａは、制御部２４の制御に応じた空調を行うことにより、寝室ＲＡの室温を変化させることができるように構成されている。
【００２５】
照明装置３１Ｂは、例えば、ＥＣＨＯＮＥＴ  Ｌｉｔｅ（登録商標）等の通信規格に則り、制御装置２との間で無線通信を行うことができるように構成されている。また、照明装置３１Ｂは、制御部２４の制御に応じた調光レベルの照明光を発することにより、寝室ＲＢの照度を変化させることができるように構成されている。
【００２６】
エアコン３２Ｂは、例えば、ＥＣＨＯＮＥＴ  Ｌｉｔｅ（登録商標）等の通信規格に則り、制御装置２との間で無線通信を行うことができるように構成されている。また、エアコン３２Ｂは、制御部２４の制御に応じた空調を行うことにより、寝室ＲＢの室温を変化させることができるように構成されている。
【００２７】
照明装置３１Ｃは、例えば、ＥＣＨＯＮＥＴ  Ｌｉｔｅ（登録商標）等の通信規格に則り、制御装置２との間で無線通信を行うことができるように構成されている。また、照明装置３１Ｃは、制御部２４の制御に応じた調光レベルの照明光を発することにより、リビングＲＣの照度を変化させることができるように構成されている。
【００２８】
エアコン３２Ｃは、例えば、ＥＣＨＯＮＥＴ  Ｌｉｔｅ（登録商標）等の通信規格に則り、制御装置２との間で無線通信を行うことができるように構成されている。また、エアコン３２Ｃは、制御部２４の制御に応じた空調を行うことにより、リビングＲＣの室温を変化させることができるように構成されている。
【００２９】
続いて、家電制御システム１０１の各部により行われる具体的な動作について、以下に説明する。なお、以降においては、携帯端末装置１Ａの記憶部１２Ａに識別情報ＩＤ１が格納され、端末装置１Ｂの記憶部１２Ｂに識別情報ＩＤ２が格納され、さらに、識別情報ＩＤ１に関連付けられた動作設定と、識別情報ＩＤ２に関連付けられた動作設定と、が予め記憶部２３に格納されている場合を例に挙げて説明する。また、以降においては、簡単のため、既述の動作等を適用可能な部分に関する具体的な説明を適宜省略するものとする。
【００３０】
寝室ＲＡ及びリビングＲＣを主に利用する個人であるユーザーＵＡは、例えば、携帯端末装置１Ａの操作指示部１１Ａを操作することにより、ＨＥＭＳ用に設計されたアプリケーションＡＰを起動する。
【００３１】
携帯端末装置１Ａは、操作指示部１１Ａの操作に応じ、アプリケーションＡＰを起動するとともに、記憶部１２Ａに格納された識別情報ＩＤ１を当該アプリケーションＡＰ経由で制御装置２へ送信するための動作を行う。
【００３２】
制御部２４は、識別情報ＩＤ１が通信部２１において受信された際に、当該識別情報ＩＤ１がアプリケーションＡＰまたはＷｅｂブラウザのどちらを経由して送信されたものであるかを判定するための判定処理を行う。
【００３３】
具体的には、制御部２４は、前述の判定処理として、例えば、通信部２１において識別情報ＩＤ１を受信した際のポート番号が、アプリケーションＡＰを経由する通信において利用されるポート番号、または、Ｗｅｂブラウザを経由する通信において利用されるポート番号のどちらであるかを判定する処理を行う。
【００３４】
制御部２４は、前述の判定処理により、例えば、識別情報ＩＤ１がアプリケーションＡＰを経由して送信されたとの判定結果を得た際に、ホーム画面ＨＳの生成に必要な情報を当該識別情報ＩＤ１の送信元である携帯端末装置１Ａへ返送する。そして、このような制御部２４の動作に応じ、例えば、図２のような表示態様を有するホーム画面ＨＳが表示部１３Ａに表示される。図２は、ホーム画面ＨＳの表示態様の一例を説明するための図である。
【００３５】
ホーム画面ＨＳには、例えば、図２に示すように、記憶部２３に格納された最新の動作設定で複数の家電機器の一括制御を行わせるための複数のスイッチを有する一括制御スイッチ群ＳＷ１と、一括制御スイッチ群ＳＷ１の各スイッチに対応する動作設定の設定内容を確認及び編集可能な設定画面を表示させるためのスイッチである設定画面表示スイッチＳＷ２と、が設けられている。
【００３６】
ホーム画面ＨＳ内の一括制御スイッチ群ＳＷ１に含まれる「おめざめ」スイッチは、例えば、起床時の動作設定として設定された設定内容で複数の家電機器の一括制御を行わせるための指示を行うことが可能なスイッチとして構成されている。
【００３７】
ホーム画面ＨＳ内の一括制御スイッチ群ＳＷ１に含まれる「おかえり」スイッチは、例えば、帰宅時の動作設定として設定された設定内容で複数の家電機器の一括制御を行わせるための指示を行うことが可能なスイッチとして構成されている。
【００３８】
ホーム画面ＨＳ内の一括制御スイッチ群ＳＷ１に含まれる「おでかけ」スイッチは、例えば、外出時の動作設定として設定された設定内容で複数の家電機器の一括制御を行わせるための指示を行うことが可能なスイッチとして構成されている。
【００３９】
ホーム画面ＨＳ内の一括制御スイッチ群ＳＷ１に含まれる「おやすみ」スイッチは、例えば、就寝時の動作設定として設定された設定内容で複数の家電機器の一括制御を行わせるための指示を行うことが可能なスイッチとして構成されている。
【００４０】
一方、ユーザーＵＡは、アプリケーションＡＰの起動後に、表示部１３Ａに表示されるホーム画面ＨＳ内の設定画面表示スイッチＳＷ２を押下する操作を操作指示部１１Ａにおいて行うことにより、識別情報ＩＤ１に関連付けられた動作設定の設定内容を確認及び編集することが可能な設定画面ＳＳ１を表示させるための指示を行う。
【００４１】
設定部２２は、識別情報ＩＤ１がアプリケーションＡＰを経由して送信されたとの判定結果が制御部２４の判定処理により得られたこと、及び、設定画面ＳＳ１を表示させるための指示が行われたことをそれぞれ検知した際に、記憶部２３に格納された各動作設定の中から、識別情報ＩＤ１に関連付けられており、かつ、一括制御スイッチ群ＳＷ１に含まれる各スイッチに対応する複数の動作設定を読み込むとともに、当該読み込んだ複数の動作設定を示す情報を当該識別情報ＩＤ１の送信元である携帯端末装置１Ａへ返送する。そして、このような設定部２２の動作に応じ、例えば、図３のような表示態様を有する設定画面ＳＳ１が表示部１３Ａに表示される。図３は、設定画面ＳＳ１の表示態様の一例を説明するための図である。
【００４２】
設定画面ＳＳ１は、例えば、図３に示すように、一括制御スイッチ群ＳＷ１に含まれる各スイッチに対応する複数のタグである、「おめざめ」タグ、「おかえり」タグ、「おでかけ」タグ、及び、「おやすみ」タグを有するとともに、当該複数のタグの中から選択された１つのタグに応じた動作設定が表示されるような画面として生成されている。
【００４３】
なお、以降においては、簡単のため、設定画面ＳＳ１に含まれる各タグのうち、「おめざめ」タグが選択された場合に表示部１３Ａに表示される画面を代表例として挙げつつ説明を進める。
【００４４】
設定画面ＳＳ１の「おめざめ」タグ内には、制御状態設定部ＳＡ１と、時刻設定部ＳＡ２と、設定オン／オフ切替部ＳＡ３と、設定適用スイッチＳＡ４と、キャンセルスイッチＳＡ５と、が設けられている。
【００４５】
制御状態設定部ＳＡ１には、操作指示部１１Ａにおける操作に応じ、携帯端末装置１Ａによる動作設定が可能な家電機器として予め設定された複数の家電機器に対し、「おめざめ」スイッチの押下に応じた一括制御が行われる際の最終制御状態を当該複数の家電機器毎に設定可能な入力欄及びスイッチ等が設けられている。
【００４６】
具体的には、制御状態設定部ＳＡ１には、「おめざめ」スイッチの押下に応じた一括制御が行われる際の最終制御状態として、例えば、図３に示すように、照明装置３１Ａの調光レベル（０〜１００％の間で選択、以下同様）及び電源状態（オンまたはオフのいずれかを選択、以下同様）と、エアコン３２Ａの室温（所定の範囲内の温度の中から選択、以下同様）及び電源状態（オンまたはオフのいずれかを選択、以下同様）と、照明装置３１Ｃの調光レベル及び電源状態と、エアコン３２Ｃの室温及び電源状態と、を個別に設定可能な入力欄及びスイッチ等が設けられている。
【００４７】
なお、図３の制御状態設定部ＳＡ１の設定内容によれば、「おめざめ」スイッチの押下に応じた一括制御における最終制御状態として、照明装置３１Ａがオンされて調光レベル７０％の照明光を発し、エアコン３２Ａがオンされて寝室ＲＡの室温を２７℃にする空調を行い、照明装置３１Ｃがオンされて調光レベル５０％の照明光を発し、エアコン３２ＣがオンされてリビングＲＣの室温を２３℃にする空調を行う、という制御状態が設定されている。
【００４８】
時刻設定部ＳＡ２には、操作指示部１１Ａにおける操作に応じ、制御状態設定部ＳＡ１において設定された設定内容で最終制御状態に到達する設定時刻を設定可能な入力欄が設けられている。
【００４９】
なお、図３の時刻設定部ＳＡ２の設定内容によれば、制御状態設定部ＳＡ１において設定された設定内容で最終制御状態に到達する設定時刻が６時００分に設定されている。
【００５０】
設定オン／オフ切替部ＳＡ３には、操作指示部１１Ａにおける操作に応じ、「おめざめ」スイッチが押下された際の一括制御において、制御状態設定部ＳＡ１及び時刻設定部ＳＡ２の各設定内容をオン（有効化）するかまたはオフ（無効化）するかを切替可能なスイッチが設けられている。
【００５１】
なお、図３の設定オン／オフ切替部ＳＡ３の設定内容によれば、「おめざめ」スイッチが押下された際の一括制御において、制御状態設定部ＳＡ１及び時刻設定部ＳＡ２の各設定内容をオン（有効化）するように設定されている。
【００５２】
設定適用スイッチＳＡ４は、操作指示部１１Ａにおける操作に応じ、設定画面ＳＳ１の「おめざめ」タグ内の動作設定を、制御状態設定部ＳＡ１、時刻設定部ＳＡ２、及び、設定オン／オフ切替部ＳＡ３の各部に現在表示されている設定内容で確定させるための指示を制御装置２に送信するスイッチとして構成されている。すなわち、このような設定適用スイッチＳＡ４の操作に応じ、制御状態設定部ＳＡ１、時刻設定部ＳＡ２、及び、設定オン／オフ切替部ＳＡ３の各部において設定された設定内容を含む動作設定と、携帯端末装置１Ａに割り当てられた識別情報ＩＤ１と、が併せて制御装置２に送信される。
【００５３】
キャンセルスイッチＳＡ５は、操作指示部１１Ａにおける操作に応じ、制御状態設定部ＳＡ１、時刻設定部ＳＡ２、及び、設定オン／オフ切替部ＳＡ３の各部に現在表示されている設定内容を制御装置２に送信せずにホーム画面ＨＳを再度表示するためのスイッチとして構成されている。
【００５４】
設定部２２は、設定適用スイッチＳＡ４の操作に応じた指示が行われたことを検知した際に、記憶部２３に格納された各動作設定のうち、識別情報ＩＤ１に関連付けられており、かつ、「おめざめ」スイッチの押下に応じた一括制御に用いられる動作設定を更新するための動作を行う。また、設定部２２は、設定適用スイッチＳＡ４の操作に応じて記憶部２３に格納された動作設定を更新した際に、例えば、「設定完了」のような、「おめざめ」スイッチの押下に応じた一括制御により制御される各家電機器のうち、携帯端末装置１Ａによる制御対象として予め設定された複数の家電機器に対する動作設定の更新を完了した旨を報知する文字列等を設定画面ＳＳ１に表示させるために必要な情報を携帯端末装置１Ａへ送信する。すなわち、設定部２２は、設定適用スイッチＳＡ４が操作された際に、携帯端末装置１Ａに割り当てられた識別情報ＩＤ１に関連付けられた動作設定を受信し、当該識別情報ＩＤ１に関連付けられた状態で記憶部２３に格納された動作設定を当該受信した動作設定に更新するための動作を行う。
【００５５】
次に、ユーザーＵＡが、例えば、携帯端末装置１Ａの操作指示部１１Ａを操作することにより、ＨＥＭＳ用に設計され、かつ、アプリケーションＡＰとは異なるアプリケーションＡＱを起動する場合について説明する。
【００５６】
携帯端末装置１Ａは、操作指示部１１Ａの操作に応じ、アプリケーションＡＱを起動する。
【００５７】
アプリケーションＡＱを起動すると、表示部１３Ａは図４に示すような設定画面ＳＳ１とは異なる設定画面ＳＴ１を表示する。図４は、設定画面ＳＴ１の表示態様の一例を説明するための図である。
【００５８】
設定画面ＳＴ１は、例えば、図４に示すように、一括制御スイッチ群ＳＷ１に含まれる各スイッチに対応する複数のタグである、「おめざめ」タグ、「おかえり」タグ、「おでかけ」タグ、及び、「おやすみ」タグを有するとともに、当該複数のタグの中から選択された１つのタグに応じた設定内容が表示されるような画面として生成されている。
【００５９】
なお、以降においては、簡単のため、設定画面ＳＴ１に含まれる各タグのうち、「おめざめ」タグが選択された場合に表示部１３Ａに表示される画面を代表例として挙げつつ説明を進める。また、アプリケーションＡＱは「おめざめ」専用のアプリケーションとして構成してもよく、この場合には、「おめざめ」タグのみ、または、タグを表示しないようにしてもよい。
【００６０】
設定画面ＳＴ１の「おめざめ」タグ内には、時刻設定部ＳＵ２と、設定適用スイッチＳＵ４と、が設けられている。
【００６１】
時刻設定部ＳＵ２には、操作指示部１１Ａにおける操作に応じ、識別情報ＩＤ１に関連付けられた動作設定の設定内容で最終制御状態に到達する設定時刻を設定可能な入力欄が設けられている。
【００６２】
設定適用スイッチＳＵ４は、操作指示部１１Ａにおける操作に応じ、ホーム画面ＨＳにおける「おめざめ」スイッチの押下時と同様の一括制御を、時刻設定部ＳＵ２に現在表示されている設定時刻で行わせるための指示を制御装置２に送信するスイッチとして構成されている。すなわち、このような設定適用スイッチＳＵ４の操作に応じ、時刻設定部ＳＵ２において設定された設定時刻と、携帯端末装置１Ａに割り当てられた識別情報ＩＤ１と、が併せて制御装置２に送信される。
【００６３】
設定部２２は、設定適用スイッチＳＵ４の操作に応じた指示が行われたことを検知した際に、記憶部２３に格納された各動作設定のうち、識別情報ＩＤ１に関連付けられており、かつ、「おめざめ」スイッチの押下に応じた一括制御に用いられる動作設定における設定時刻を更新するとともに、更新後の設定時刻で動作設定をオン（有効化）するための動作を行う。また、設定部２２は、設定適用スイッチＳＵ４の操作に応じて記憶部２３に格納された動作設定を更新した際に、例えば、「設定完了」のような、更新後の設定時刻で動作設定をオン（有効化）した旨を報知する文字列等を設定画面ＳＳ１に表示させるために必要な情報を携帯端末装置１Ａへ送信する。すなわち、設定部２２は、設定適用スイッチＳＵ４が操作された際に、時刻設定部ＳＵ２において設定された設定時刻と、携帯端末装置１Ａに割り当てられた識別情報ＩＤ１と、をそれぞれ受信し、当該識別情報ＩＤ１に関連付けられた状態で記憶部２３に格納された動作設定を、当該受信した設定時刻でオン（有効化）するための動作を行う。
【００６４】
一方、寝室ＲＢ及びリビングＲＣを主に利用する個人であるユーザーＵＢが、例えば、端末装置１Ｂの操作指示部１１Ｂを操作することにより、ＨＥＭＳ用に設計されたアプリケーションＡＰを起動する場合について説明する。
【００６５】
端末装置１Ｂは、操作指示部１１Ｂの操作に応じ、アプリケーションＡＰを起動するとともに、記憶部１２Ｂに格納された識別情報ＩＤ２を当該アプリケーションＡＰ経由で制御装置２へ送信するための動作を行う。
【００６６】
制御部２４は、識別情報ＩＤ２が通信部２１において受信された際に、当該識別情報ＩＤ２がアプリケーションＡＰまたはＷｅｂブラウザのどちらを経由して送信されたものであるかを判定するための判定処理を行う。
【００６７】
制御部２４は、前述の判定処理により、例えば、識別情報ＩＤ２がアプリケーションＡＰを経由して送信されたとの判定結果を得た際に、ホーム画面ＨＳの生成に必要な情報を当該識別情報ＩＤ２の送信元である端末装置１Ｂへ返送する。そして、このような制御部２４の動作に応じ、例えば、図２のような表示態様を有するホーム画面ＨＳが表示部１３Ｂに表示される。
【００６８】
ユーザーＵＢは、アプリケーションＡＰの起動後に、表示部１３Ｂに表示されるホーム画面ＨＳ内の設定画面表示スイッチＳＷ２を押下する操作を操作指示部１１Ｂにおいて行うことにより、識別情報ＩＤ２に関連付けられた動作設定の設定内容を確認及び編集することが可能な設定画面ＳＳ２を表示させるための指示を行う。
【００６９】
設定部２２は、識別情報ＩＤ２がアプリケーションＡＰを経由して送信されたとの判定結果が制御部２４の判定処理により得られたこと、及び、設定画面ＳＳ２を表示させるための指示が行われたことをそれぞれ検知した際に、記憶部２３に格納された各動作設定の中から、識別情報ＩＤ２に関連付けられており、かつ、一括制御スイッチ群ＳＷ１に含まれる各スイッチに対応する複数の動作設定を読み込むとともに、当該読み込んだ複数の動作設定を示す情報を当該識別情報ＩＤ２の送信元である端末装置１Ｂへ返送する。そして、このような設定部２２の動作に応じ、例えば、図５のような表示態様を有する設定画面ＳＳ２が表示部１３Ｂに表示される。図５は、設定画面ＳＳ２の表示態様の一例を説明するための図である。
【００７０】
設定画面ＳＳ２は、例えば、図５に示すように、一括制御スイッチ群ＳＷ１に含まれる各スイッチに対応する複数のタグである、「おめざめ」タグ、「おかえり」タグ、「おでかけ」タグ、及び、「おやすみ」タグを有するとともに、当該複数のタグの中から選択された１つのタグに応じた動作設定が表示されるような画面として生成されている。
【００７１】
なお、以降においては、簡単のため、設定画面ＳＳ２に含まれる各タグのうち、「おめざめ」タグが選択された場合に表示部１３Ｂに表示される画面を代表例として挙げつつ説明を進める。
【００７２】
設定画面ＳＳ２の「おめざめ」タグ内には、制御状態設定部ＳＢ１と、時刻設定部ＳＢ２と、設定オン／オフ切替部ＳＢ３と、設定適用スイッチＳＢ４と、キャンセルスイッチＳＢ５と、が設けられている。
【００７３】
制御状態設定部ＳＢ１には、操作指示部１１Ｂにおける操作に応じ、端末装置１Ｂによる動作設定が可能な家電機器として予め設定された複数の家電機器に対し、「おめざめ」スイッチの押下に応じた一括制御が行われる際の最終制御状態を当該複数の家電機器毎に設定可能な入力欄及びスイッチ等が設けられている。
【００７４】
具体的には、制御状態設定部ＳＢ１には、「おめざめ」スイッチの押下に応じた一括制御が行われる際の最終制御状態として、例えば、図５に示すように、照明装置３１Ｂの調光レベル及び電源状態と、エアコン３２Ｂの室温及び電源状態と、照明装置３１Ｃの調光レベル及び電源状態と、エアコン３２Ｃの室温及び電源状態と、を個別に設定可能な入力欄及びスイッチ等が設けられている。
【００７５】
なお、図５の制御状態設定部ＳＢ１の設定内容によれば、「おめざめ」スイッチの押下に応じた一括制御における最終制御状態として、照明装置３１Ｂがオンされて調光レベル８０％の照明光を発し、エアコン３２Ｂがオンされて寝室ＲＢの室温を２８℃にする空調を行い、照明装置３１Ｃがオンされて調光レベル５５％の照明光を発し、エアコン３２ＣがオンされてリビングＲＣの室温を２２℃にする空調を行う、という制御状態が設定されている。
【００７６】
時刻設定部ＳＢ２には、操作指示部１１Ｂにおける操作に応じ、制御状態設定部ＳＢ１において設定された設定内容で最終制御状態に到達する設定時刻を設定可能な入力欄が設けられている。
【００７７】
なお、図５の時刻設定部ＳＢ２の設定内容によれば、制御状態設定部ＳＢ１において設定された設定内容で最終制御状態に到達する設定時刻が６時３０分に設定されている。
【００７８】
設定オン／オフ切替部ＳＢ３には、操作指示部１１Ｂにおける操作に応じ、「おめざめ」スイッチが押下された際の一括制御において、制御状態設定部ＳＢ１及び時刻設定部ＳＢ２の各設定内容をオン（有効化）するかまたはオフ（無効化）するかを切替可能なスイッチが設けられている。
【００７９】
なお、図５の設定オン／オフ切替部ＳＢ３の設定内容によれば、「おめざめ」スイッチが押下された際の一括制御において、制御状態設定部ＳＢ１及び時刻設定部ＳＢ２の各設定内容をオン（有効化）するように設定されている。
【００８０】
設定適用スイッチＳＢ４は、操作指示部１１Ｂにおける操作に応じ、設定画面ＳＳ２の「おめざめ」タグ内の動作設定を、制御状態設定部ＳＢ１、時刻設定部ＳＢ２、及び、設定オン／オフ切替部ＳＢ３の各部に現在表示されている設定内容で確定させるための指示を制御装置２に送信するスイッチとして構成されている。すなわち、このような設定適用スイッチＳＢ４の操作に応じ、制御状態設定部ＳＢ１、時刻設定部ＳＢ２、及び、設定オン／オフ切替部ＳＢ３の各部において設定された設定内容を含む動作設定と、端末装置１Ｂに割り当てられた識別情報ＩＤ２と、が併せて制御装置２に送信される。
【００８１】
キャンセルスイッチＳＢ５は、操作指示部１１Ｂにおける操作に応じ、制御状態設定部ＳＢ１、時刻設定部ＳＢ２、及び、設定オン／オフ切替部ＳＢ３の各部に現在表示されている設定内容を制御装置２に送信せずにホーム画面ＨＳを再度表示するためのスイッチとして構成されている。
【００８２】
設定部２２は、設定適用スイッチＳＢ４の操作に応じた指示が行われたことを検知した際に、記憶部２３に格納された各動作設定のうち、識別情報ＩＤ２に関連付けられており、かつ、「おめざめ」スイッチの押下に応じた一括制御に用いられる動作設定を更新するための動作を行う。また、設定部２２は、設定適用スイッチＳＢ４の操作に応じて記憶部２３に格納された動作設定を更新した際に、例えば、「設定完了」のような、「おめざめ」スイッチの押下に応じた一括制御により制御される各家電機器のうち、端末装置１Ｂによる制御対象として予め設定された複数の家電機器に対する動作設定の更新を完了した旨を報知する文字列等を設定画面ＳＳ２に表示させるために必要な情報を端末装置１Ｂへ送信する。すなわち、設定部２２は、設定適用スイッチＳＢ４が操作された際に、端末装置１Ｂに割り当てられた識別情報ＩＤ２に関連付けられた動作設定を受信し、当該識別情報ＩＤ２に関連付けられた状態で記憶部２３に格納された動作設定を当該受信した動作設定に更新するための動作を行う。
【００８３】
次に、ユーザーＵＢが、例えば、端末装置１Ｂの操作指示部１１Ｂを操作することにより、Ｗｅｂブラウザで制御装置２の設定を変更する場合について説明する。
【００８４】
端末装置１Ｂは、操作指示部１１Ｂの操作に応じ、Ｗｅｂブラウザを起動するとともに、制御装置２のホーム画面に割り当てられたＵＲＩにアクセスする。
【００８５】
制御部２４は、前述のアクセスを受け付けると、例えば、ホーム画面ＨＳの生成に必要な情報を端末装置１Ｂへ返送する。そして、このような制御部２４の動作に応じ、例えば、図２のような表示態様を有するホーム画面ＨＳが表示部１３Ｂに表示される。
【００８６】
ユーザーＵＢは、Ｗｅｂブラウザの起動後に、表示部１３Ｂに表示されるホーム画面ＨＳ内の設定画面表示スイッチＳＷ２を押下する操作を操作指示部１１Ｂにおいて行うことにより、各識別情報毎に関連付けられた動作設定の設定内容を確認及び編集することが可能な設定画面ＳＳ３を表示させるための指示を行う。
【００８７】
そして、例えば、図６及び図７のような表示態様を有する設定画面ＳＳ３が表示部１３Ｂに表示される。図６は、設定画面ＳＳ３の表示態様の一例を説明するための図である。図７は、設定画面ＳＳ３の表示態様の、図６とは異なる例を説明するための図である。
【００８８】
なお、設定部２２は、本実施例によれば、識別情報がＷｅｂブラウザを経由して送信される限りにおいては、図６及び図７のような表示態様を有する設定画面ＳＳ３を、携帯端末装置１Ａの表示部１３Ａ及び端末装置１Ｂの表示部１３Ｂの両方に表示させることができる。
【００８９】
設定画面ＳＳ３は、例えば、図６及び図７に示すように、識別情報ＩＤ１及びＩＤ２に対応する複数のタグである、「ＩＤ１」タグ及び「ＩＤ２」タグを有するとともに、当該複数のタグの中から選択された１つのタグに応じた動作設定が表示されるような画面として生成されている。
【００９０】
設定画面ＳＳ３の「ＩＤ１」タグ内には、例えば、図６に示すように、設定画面ＳＳ１の複数のタグと同様の機能を具備する複数のスイッチである表示切替スイッチ群ＳＣが設けられている。なお、図６の表示切替スイッチ群ＳＣには、設定画面ＳＳ１に含まれる各タグに対応する複数のスイッチである、「おめざめ」設定表示スイッチ「おかえり」設定表示スイッチ、「おでかけ」設定表示スイッチ、及び、「おやすみ」設定表示スイッチが設けられている。
【００９１】
なお、以降においては、簡単のため、表示切替スイッチ群ＳＣに含まれる各スイッチのうち、「おめざめ」設定表示スイッチが選択された場合に表示部１３Ｂに表示される画面を代表例として挙げつつ説明を進める。
【００９２】
設定画面ＳＳ３の複数のタグの中から「ＩＤ１」タグが選択され、かつ、表示切替スイッチ群ＳＣにおいて「おめざめ」設定表示スイッチが選択された場合には、例えば、図６に示すような、制御状態設定部ＳＣ１と、時刻設定部ＳＣ２と、設定オン／オフ切替部ＳＣ３と、設定適用スイッチＳＣ４と、キャンセルスイッチＳＣ５と、を備えた画面が表示される。
【００９３】
制御状態設定部ＳＣ１には、操作指示部１１Ａ及び１１Ｂによる操作が可能であるとともに、制御状態設定部ＳＡ１と同様の機能を具備する入力欄及びスイッチ等が設けられている。
【００９４】
時刻設定部ＳＣ２には、操作指示部１１Ａ及び１１Ｂによる操作が可能であるとともに、時刻設定部ＳＡ２と同様の機能を具備する入力欄が設けられている。
【００９５】
設定オン／オフ切替部ＳＣ３には、操作指示部１１Ａ及び１１Ｂによる操作が可能であるとともに、設定オン／オフ切替部ＳＡ３と同様の機能を具備するスイッチが設けられている。
【００９６】
設定適用スイッチＳＣ４は、操作指示部１１Ａ及び１１Ｂによる操作が可能であるとともに、表示切替スイッチ群ＳＣにおいて「おめざめ」設定表示スイッチが選択された場合の動作設定を、制御状態設定部ＳＣ１、時刻設定部ＳＣ２、及び、設定オン／オフ切替部ＳＣ３の各部に現在表示されている設定内容で確定させるための指示を制御装置２に送信するスイッチとして構成されている。すなわち、このような設定適用スイッチＳＣ４の操作に応じ、制御状態設定部ＳＣ１、時刻設定部ＳＣ２、及び、設定オン／オフ切替部ＳＣ３の各部において設定された設定内容を含む動作設定と、端末装置１Ｂに割り当てられた識別情報ＩＤ２と、が併せて制御装置２に送信される。
【００９７】
キャンセルスイッチＳＣ５は、操作指示部１１Ａ及び１１Ｂによる操作が可能であるとともに、制御状態設定部ＳＣ１、時刻設定部ＳＣ２、及び、設定オン／オフ切替部ＳＣ３の各部に現在表示されている設定内容を制御装置２に送信せずにホーム画面ＨＳを再度表示するためのスイッチとして構成されている。
【００９８】
設定部２２は、設定適用スイッチＳＣ４の操作に応じた指示が行われたことを検知した際に、記憶部２３に格納された各動作設定のうち、識別情報ＩＤ１に関連付けられており、かつ、「おめざめ」スイッチの押下に応じた一括制御に用いられる動作設定を更新するための動作を行う。また、設定部２２は、設定適用スイッチＳＣ４の操作に応じて記憶部２３に格納された動作設定を更新した際に、例えば、「設定完了」のような、「おめざめ」スイッチの押下に応じた一括制御により制御される各家電機器のうち、携帯端末装置１Ａによる制御対象として予め設定された複数の家電機器に対する動作設定を完了した旨を報知する文字列等を設定画面ＳＳ３に表示させるために必要な情報を送信する。
【００９９】
設定画面ＳＳ３の「ＩＤ２」タグ内には、例えば、図７に示すように、設定画面ＳＳ２の複数のタグと同様の機能を具備する複数のスイッチである表示切替スイッチ群ＳＤが設けられている。なお、図７の表示切替スイッチ群ＳＤには、設定画面ＳＳ２に含まれる各タグに対応する複数のスイッチである、「おめざめ」設定表示スイッチ「おかえり」設定表示スイッチ、「おでかけ」設定表示スイッチ、及び、「おやすみ」設定表示スイッチが設けられている。
【０１００】
なお、以降においては、簡単のため、表示切替スイッチ群ＳＤに含まれる各スイッチのうち、「おめざめ」設定表示スイッチが選択された場合に表示部１３Ｂに表示される画面を代表例として挙げつつ説明を進める。
【０１０１】
設定画面ＳＳ３の複数のタグの中から「ＩＤ２」タグが選択され、かつ、表示切替スイッチ群ＳＤにおいて「おめざめ」設定表示スイッチが選択された場合には、例えば、図７に示すような、制御状態設定部ＳＤ１と、時刻設定部ＳＤ２と、設定オン／オフ切替部ＳＤ３と、設定適用スイッチＳＤ４と、キャンセルスイッチＳＤ５と、を備えた画面が表示される。
【０１０２】
制御状態設定部ＳＤ１には、操作指示部１１Ａ及び１１Ｂによる操作が可能であるとともに、制御状態設定部ＳＢ１と同様の機能を具備する入力欄及びスイッチ等が設けられている。
【０１０３】
時刻設定部ＳＤ２には、操作指示部１１Ａ及び１１Ｂによる操作が可能であるとともに、時刻設定部ＳＢ２と同様の機能を具備する入力欄が設けられている。
【０１０４】
設定オン／オフ切替部ＳＤ３には、操作指示部１１Ａ及び１１Ｂによる操作が可能であるとともに、設定オン／オフ切替部ＳＢ３と同様の機能を具備するスイッチが設けられている。
【０１０５】
設定適用スイッチＳＤ４は、操作指示部１１Ａ及び１１Ｂによる操作が可能であるとともに、表示切替スイッチ群ＳＤにおいて「おめざめ」設定表示スイッチが選択された場合の動作設定を、制御状態設定部ＳＤ１、時刻設定部ＳＤ２、及び、設定オン／オフ切替部ＳＤ３の各部に現在表示されている設定内容で確定させるための指示を制御装置２に送信するスイッチとして構成されている。すなわち、このような設定適用スイッチＳＤ４の操作に応じ、識別情報ＩＤ２に割り当てられた制御状態設定部ＳＤ１、時刻設定部ＳＤ２、及び、設定オン／オフ切替部ＳＤ３の各部において設定された設定内容が制御装置２に反映される。
【０１０６】
つまり、設定部２２は、設定適用スイッチＳＤ４の操作に応じた指示が行われると、記憶部２３に格納された各動作設定のうち、識別情報ＩＤ２に関連付けられており、かつ、「おめざめ」スイッチの押下に応じた一括制御に用いられる動作設定を更新するための動作を行う。また、設定部２２は、設定適用スイッチＳＤ４の操作に応じて記憶部２３に格納された動作設定を更新した際に、例えば、「設定完了」のような、「おめざめ」スイッチの押下に応じた一括制御により制御される各家電機器のうち、端末装置１Ｂによる制御対象として予め設定された複数の家電機器に対する動作設定を完了した旨を報知する文字列等を設定画面ＳＳ３に表示させるために必要な情報を送信する。
【０１０７】
キャンセルスイッチＳＤ５は、操作指示部１１Ａ及び１１Ｂによる操作が可能であるとともに、制御状態設定部ＳＤ１、時刻設定部ＳＤ２、及び、設定オン／オフ切替部ＳＤ３の各部に現在表示されている設定内容を制御装置２に送信せずにホーム画面ＨＳを再度表示するためのスイッチとして構成されている。
【０１０８】
一方、制御部２４は、ホーム画面ＨＳの一括制御スイッチ群ＳＷ１に含まれる各スイッチのうち、例えば、「おめざめ」スイッチが押下されたことを検知すると、記憶部２３に格納された各動作設定の中から、当該「おめざめ」スイッチの押下に応じた一括制御における複数の動作設定を読み込む。また、制御部２４は、例えば、「おめざめ」スイッチの押下に応じた一括制御における複数の動作設定同士で重複が発生していることを検知した場合には、予め決められた優先度が最も高い動作設定のみを有効化するような動作を行うことにより、当該一括制御の準備を完了する。
【０１０９】
具体的には、制御部２４は、例えば、図３または図６に示した動作設定を識別情報ＩＤ１に関連付けられた動作設定として記憶部２３から読み込み、かつ、図５または図７に示した動作設定を識別情報ＩＤ２に関連付けられた動作設定として記憶部２３から読み込んだ場合に、照明装置３１Ｃ及びエアコン３２Ｃに対する動作設定が重複していることを検知するとともに、識別情報ＩＤ１及びＩＤ２のうちの優先度の高い一方の動作設定のみを照明装置３１Ｃ及びエアコン３２Ｃに対する動作設定として有効化するような動作を行う。
【０１１０】
制御部２４は、「おめざめ」スイッチの押下に応じた一括制御の準備を完了した後、当該一括制御の動作設定に含まれる設定内容に基づいて各家電機器に対する制御を行う。
【０１１１】
なお、以降においては、簡単のため、制御状態設定部ＳＡ１の設定内容で最終制御状態に到達する時刻が時刻設定部ＳＡ２において設定された設定時刻ＴＡであり、制御状態設定部ＳＢ１の設定内容で最終制御状態に到達する時刻が時刻設定部ＳＢ２において設定された設定時刻ＴＢであり、当該設定時刻ＴＢが当該設定時刻ＴＡよりも後の時刻であり、かつ、識別情報ＩＤ１に関連付けられた動作設定が照明装置３１Ｃ及びエアコン３２Ｃに対する動作設定として有効化された場合を例に挙げて説明を行う。
【０１１２】
制御部２４は、「おめざめ」スイッチの押下に応じた一括制御として、例えば、図８及び図９に示すように、時刻設定部ＳＡ２で設定された設定時刻ＴＡよりも前の時刻である時刻Ｔ１に照明装置３１Ａをオンし、時刻設定部ＳＢ２で設定された設定時刻ＴＢよりも前の時刻である時刻Ｔ２に照明装置３１Ｂをオンし、当該設定時刻ＴＡよりも前の時刻である時刻Ｔ３に照明装置３１Ｃをオンし、当該設定時刻ＴＡよりも前の時刻である時刻Ｔ４にエアコン３２Ａ〜３２Ｃをそれぞれオンするような制御を行う。図８は、照明装置３１Ａ〜３１Ｃに対する制御を一括制御において行った際の調光レベルの時間的な変動の一例を説明するための図である。図９は、エアコン３２Ａ〜３２Ｃに対する制御を一括制御において行った際の室温の時間的な変動の一例を説明するための図である。
【０１１３】
前述のような一括制御によれば、例えば、図８に示すように、時刻Ｔ１から設定時刻ＴＡに至るまでの間の時刻ＴＸ（不図示）において調光レベルを急峻に増加させ、時刻Ｔ２から設定時刻ＴＢに至るまでの間の時刻ＴＹ（不図示）において調光レベルを急峻に増加させ、時刻Ｔ３から設定時刻ＴＡに至るまでの間の時刻ＴＺ（不図示）において調光レベルを急峻に増加させるような制御が照明装置３１Ａ〜３１Ｃに対して行われる。
【０１１４】
前述のような一括制御によれば、例えば、図９に示すように、時刻Ｔ４から設定時刻ＴＡに至るまでの間において寝室ＲＡ及びリビングＲＣの室温を緩やかに増加させ、時刻Ｔ５から設定時刻ＴＢに至るまでの間において寝室ＲＢの室温を緩やかに増加させるような制御がエアコン３２Ａ〜３２Ｃに対して行われる。
【０１１５】
そして、前述のような一括制御によれば、例えば、設定時刻ＴＡである６時００分において、照明装置３１Ａが調光レベル７０％の照明光を発し、エアコン３２Ａの空調により寝室ＲＡの室温が２７℃になり、照明装置３１Ｃが調光レベル５０％の照明光を発し、エアコン３２Ｃの空調によりリビングＲＣの室温が２３℃になる。また、前述のような一括制御によれば、例えば、設定時刻ＴＢである６時３０分において、照明装置３１Ｂが調光レベル８０％の照明光を発し、エアコン３２Ｂの空調により寝室ＲＢの室温が２８℃になる。
【０１１６】
なお、前述の時刻Ｔ１〜Ｔ４は、例えば、設定時刻ＴＡ及びＴＢと、各家電機器の最終制御状態と、の相関に応じて適宜設定すればよい。
【０１１７】
また、本実施例によれば、図８及び図９に例示したような制御が行われるものに限らず、例えば、設定時刻ＴＡに照明装置３１Ａ、エアコン３２Ａ、照明装置３１Ｃ、及び、エアコン３２Ｃがそれぞれオンされ、かつ、設定時刻ＴＢに照明装置３１Ｂ及びエアコン３２Ｂがそれぞれオンされるような制御が行われるものであってもよい。換言すると、本実施例によれば、例えば、制御状態設定部ＳＡ１に含まれる各家電機器をオンする時刻が時刻設定部ＳＡ２において設定され、かつ、制御状態設定部ＳＢ１に含まれる各家電機器をオンする時刻が時刻設定部ＳＢ２において設定されるようにしてもよい。
【０１１８】
また、本実施例によれば、「おめざめ」スイッチの押下に応じた一括制御において、図８に例示したような制御が寝室に設置された各照明装置３１Ａ及び３１Ｂに対して行われるものに限らず、例えば、時刻Ｔ１から設定時刻ＴＡまでの期間中に１分毎に段階的に調光レベルを増加させて調光レベルを７０％とするような制御が照明装置３１Ａに対して行われ、かつ、時刻Ｔ２から設定時刻ＴＢまでの期間中に１分毎に段階的に調光レベルを増加させて調光レベルを８０％とするような制御が照明装置３１Ｂに対して行われるようにしてもよい。
【０１１９】
また、本実施例によれば、制御部２４が一括制御スイッチ群ＳＷ１に含まれる各スイッチに応じた一括制御を各家電機器に対して行うものに限らず、例えば、制御部２４が当該一括制御の動作設定に含まれる設定時刻において最終制御状態にするためのスケジュール動作を各家電機器毎において行わせるようにしてもよい。
【０１２０】
具体的には、例えば、制御部２４が「おめざめ」スイッチの押下に応じた一括制御の動作設定を各家電機器に予め振り分けておくことにより、当該動作設定に含まれる設定時刻において最終制御状態にするためのスケジュール動作を各家電機器において行わせるようにしてもよい。そして、このような動作によれば、例えば、制御装置２と各家電機器との間の通信接続が一括制御の期間中に維持され続けないような状況であっても、当該各家電機器を当該一括制御の動作設定に応じた最終制御状態に遷移させることができる。
【０１２１】
以上に述べたように、本実施例によれば、一括制御スイッチ群ＳＷ１に含まれる各スイッチに対応する一括制御が行われる際の動作設定を、携帯端末装置１Ａ及び端末装置１Ｂに割り当てられた識別情報毎に設定することができる。そのため、本実施例によれば、複数の個人毎に適した動作設定で複数の家電機器を一括制御することができる。
【０１２２】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【０１２３】
１Ａ  携帯端末装置
１Ｂ  端末装置
２  制御装置
１１Ａ，１１Ｂ  操作指示部
１２Ａ，１２Ｂ  記憶部
１３Ａ，１３Ｂ  表示部
２１  通信部
２２  設定部
２３  記憶部
２４  制御部
１０１  家電制御システム
３１Ａ，３１Ｂ，３１Ｃ  照明装置
３２Ａ，３２Ｂ，３２Ｃ  エアコン
【図１】
2016163147.tif 000003
【図２】
2016163147.tif 000004
【図３】
2016163147.tif 000005
【図４】
2016163147.tif 000006
【図５】
2016163147.tif 000007
【図６】
2016163147.tif 000008
【図７】
2016163147.tif 000009
【図８】
2016163147.tif 000010
【図９】
2016163147.tif 000011